(57)【要約】【課題】  透明シートに印刷する際の試し印刷時における試し印刷を透明シート以外の安価シートを用いて行う。【解決手段】    印刷ジョブで指定される透明シートに印刷を行う印刷装置であって、前記透明シートに対して試し印刷を行う設定を受け付ける受付手段と、試し印刷を行う設定がなされた場合、前記透明シートに代えて給紙するシートに対して、印刷すべき第１のシート面に正像を印刷した後、当該第１のシートを反転して排紙させる制御手段と、を備えることを特徴とする。【選択図】  図１１
2015212027.tif 000002
【特許請求の範囲】
【請求項１】
印刷ジョブで指定される透明シートに印刷を行う印刷装置であって、
前記透明シートに対して試し印刷を行う設定を受け付ける受付手段と、
試し印刷を行う設定がなされた場合、前記透明シートに代えて給紙するシートに対して、印刷すべき第１のシート面に正像を印刷した後、当該第１のシートを反転して排紙させる制御手段と、
を備えることを特徴とする印刷装置。
【請求項２】
印刷ジョブで指定される透明シートに印刷を行う印刷装置であって、
前記透明シートに対して試し印刷を行う設定を受け付ける受付手段と、
試し印刷を行う設定がなされた場合、前記透明シートに代えて給紙するシートに対して、印刷すべき第１のシート面の裏面となる第２のシート面に鏡像を印刷した後、当該シートを排紙させる制御手段と、
を備えることを特徴とする印刷装置。
【請求項３】
印刷ジョブで指定される透明シートの両面に印刷を行う印刷装置であって、
前記透明シートに対して試し印刷を行う設定を受け付ける受付手段と、
試し印刷を行う設定がなされた場合、前記透明シートに代えて給紙するシートの第１のシート面に対して印刷すべきページの正像と、当該第１のシート面の裏面となる第２のシート面に対して印刷すべき次ページの鏡像とを合成して前記第１のシート面に印刷し、さらに、当該シートを反転した後、第２のシート面に対して印刷すべき前ページの鏡像と、当該第２のシートの裏面となる第２のシート面に対して印刷すべきページの正像とを合成して前記第２のシート面に印刷して排紙させる制御手段と、
を備えることを特徴とする印刷装置。
【請求項４】
印刷ジョブで指定される透明シートに印刷を行う印刷装置であって、
前記透明シートに対して試し印刷を行う設定を受け付ける受付手段と、
試し印刷を行う設定がなされた場合、前記透明シートに代えて給紙するシートに対して、透過性の記録材料を用いて印刷すべき第１のシート面に正像を印刷した後、当該シートを反転して排紙させる制御手段と、
を備えることを特徴とする印刷装置。
【請求項５】
印刷ジョブで指定される透明シートに印刷を行う印刷装置であって、
前記透明シートに対して試し印刷を行う設定を受け付ける受付手段と、
試し印刷を行う設定がなされた場合、前記透明シートに代えて給紙するシートに対して、透過性の記録材料を用いて印刷すべき第１のシート面の裏面となる第２のシート面に鏡像を透過性の記録材料を用いて印刷した後、当該シートを排紙させる制御手段と、
を備えることを特徴とする印刷装置。
【請求項６】
前記透明シートに代えて給紙するシートは、普通紙であることを特徴とする請求項１乃至５のいずれか１項に記載の印刷装置。
【請求項７】
前記受付手段は、ユーザによる試し印刷の設定、もしくは前記印刷ジョブに指定される試し印刷の設定を受け付けることを特徴とする請求項１乃至６のいずれか１項に記載の印刷装置。
【請求項８】
印刷ジョブで指定される透明シートに印刷を行う印刷装置の制御方法であって、
前記透明シートに対して試し印刷を行う設定を受け付ける受付工程と、
試し印刷を行う設定がなされた場合、前記透明シートに代えて給紙するシートに対して、印刷すべき第１のシート面に正像を印刷した後、当該第１のシートを反転して排紙させる制御工程と、
を備えることを特徴とする印刷装置の制御方法。
【請求項９】
請求項８に記載の印刷装置の制御方法をコンピュータに実行させることを特徴とするプログラム。
【発明の詳細な説明】
【技術分野】
【０００１】
本発明は、印刷装置、印刷装置の制御方法、及びプログラムに関するものである。
【背景技術】
【０００２】
印刷装置において、用紙の種類に応じて正像または鏡像で画像形成するためのモード切り替え手段を提供する技術が開示されている。すなわち、投入された印刷ジョブに指定された用紙の種類を判断し、設定された記録モードに従った画像を生成することが可能となっている（特許文献１参照）。
【０００３】
また、ＯＨＰフィルムに対して鏡像印刷を行う際に、ページ処理順を逆順にすることで複数ページを連続してＯＨＰフィルムに印刷した場合もページ順が崩れないようにする技術が開示されている。
さらに、中挿し印刷を行う際には、ＯＨＰフィルムに記録する画像は鏡像として生成し裏面印刷を行い、中差し用紙に記録する画像は正像で生成し表面に印刷することを可能とする。それによって、中差し印刷時もユーザーが期待した成果物を得ることを可能としている（特許文献２参照）。
【先行技術文献】
【特許文献】
【０００４】
【特許文献１】特開昭６２−２６８６６０号公報
【特許文献２】特開２００５−６７０８７号公報
【発明の概要】
【発明が解決しようとする課題】
【０００５】
透明シートなどの特殊な記録媒体を用いて付加価値の高い成果物を生成する場合、成果物生成処理開始まえにオペレータが意図した成果物が得られるかを確認するためのテスト印刷（以下お試し印刷と記載する）を数回実施する事がある。この際に、特殊な記録媒体を用いる場合、お試し印刷による微調整の実施回数に応じて失敗コストがかかる。また、成果物を廃却する際にも特殊な記録媒体を一般的な記録媒体（例えば普通紙）と分離するなどの工程が必要となり作業効率が低下する。
【０００６】
本発明は、上記の課題を解決するためになされたもので、本発明の目的は、透明シートに印刷する際の試し印刷時における試し印刷を透明シート以外の安価シートを用いて行える仕組みを提供することである。
【課題を解決するための手段】
【０００７】
上記目的を達成する本発明の印刷装置は以下に示す構成を備える。
印刷ジョブで指定される透明シートに印刷を行う印刷装置であって、前記透明シートに対して試し印刷を行う設定を受け付ける受付手段と、試し印刷を行う設定がなされた場合、前記透明シートに代えて給紙するシートに対して、印刷すべき第１のシート面に正像を印刷した後、当該第１のシートを反転して排紙させる制御手段と、を備えることを特徴とする。
【発明の効果】
【０００８】
本発明によれば、透明シートに印刷する際の試し印刷時における試し印刷を透明シート以外の安価シートを用いて行える。
【図面の簡単な説明】
【０００９】
【図１】印刷装置の構成を説明するブロック図である。
【図２】画像形成装置コントローラの構成を示すブロック図である。
【図３】コントローラソフトウェアの構成を示すブロック図である。
【図４】図１に示した画像形成装置のページ処理を示すブロック図である。
【図５】画像形成装置の構成を説明する断面図である。
【図６】給紙されるシートに対する搬送状態を説明する図である。
【図７】印刷システムを説明する図である。
【図８】画像形成装置が備える操作部を説明する平面図である。
【図９】画像形成装置が備える操作部を説明する平面図である。
【図１０】印刷装置の制御方法を説明するフローチャートである。
【図１１】印刷装置の制御方法を説明するフローチャートである。
【図１２】印刷装置の制御方法を説明するフローチャートである。
【図１３】ＵＩ画面の一例を示す図である。
【図１４】印刷結果を示す模式図である。
【図１５】印刷装置の制御方法を説明するフローチャートである。
【図１６】印刷装置の制御方法を説明するフローチャートである。
【図１７】印刷結果を示す模式図である。
【図１８】印刷装置の制御方法を説明するフローチャートである。
【図１９】印刷結果を示す模式図である。
【発明を実施するための形態】
【００１０】
次に本発明を実施するための最良の形態について図面を参照して説明する。尚、以下の実施の形態は特許請求の範囲に係る本発明を限定するものでなく、また本実施の形態で説明されている特徴の組み合わせの全てが本発明の解決手段に必須のものとは限らない。
＜システム構成の説明＞
〔第１実施形態〕
【００１１】
＜ＰＤＬ描画処理部の構成例を示すブロック図＞
【００１２】
図１は、本実施形態を示す印刷装置の構成を説明するブロック図である。なお、後述するレンダリング処理部では、ＰＤＬで記述された文字、線画、図形などのベクトル情報、ビットマップ情報などを、同時に頁として再現するために、各オブジェクト情報をメモリ上（図示せず）にラスタ画像としてラスタライズする処理である。また、本実施形態では、印刷装置の一例として、複合機能処理を実行する画像形成装置を例とする。
【００１３】
描画処理部は、インタプリタ１０１とレンダリング処理部１０８の二つの部分から構成される。インタプリタ１０１は、ＰＤＬデータを言語解析するＰＤＬ解析部１０２、ＰＤＬデータに含まれるページ情報を解析するＰａｇｅ情報解析部１０３、および、ＰＤＬデータに含まれる描画オブジェクトを解析する描画オブジェクト解析部１０４。更に、描画オブジェクトからディスプレイリストと呼ぶ中間ファイルを生成するディスプレイリスト（ＤＬ）生成部１０５から構成される。
【００１４】
さらに、描画オブジェクトやフォントをキャッシュし再利用可能な場合、メモリやＨＤＤなどの一時記憶装置上のデータ記憶部１０７にＤＬデータを記憶、読み出しすることができるＤＬ管理部１０６が含まれる。
【００１５】
ＰＤＬ解析部１０２は、入力される様々な種類のＰＤＬデータが解析可能である。ＰＤＬデータのフォーマットとしては、Ａｄｏｂｅ社のＰｏｓｔＳｃｒｉｐｔ（登録商標）言語やＨＰ社のＰＣＬ（登録商標）などが有名である。また、Ａｄｏｂｅ社の文書用のドキュメントフォーマットであるＰＤＦ（商標）も解析可能である。
その他、ＰＰＭＬやＰＤＦ／ＶＴなどのＶＤＰ向けフォーマットも処理可能である。更に、ＪＰＥＧ  （Ｊｏｉｎｔ  Ｐｈｏｔｏｇｒａｐｈｉｃ  Ｅｘｐｅｒｔｓ  Ｇｒｏｕｐ）やＴＩＦＦ  （Ｔａｇｇｅｄ  Ｉｍａｇｅ  Ｆｉｌｅ  Ｆｏｒｍａｔ）などの画像圧縮フォーマットも処理可能である。
【００１６】
レンダリング処理部１０８は、ディスプレイリストに対してカラーマッチングを行うＣＭＭ（図示せず）、ディスプレイリストをビットマップデータ（ラスタ画像）にレンダリングするＤＬレンダリング部（図示せず）から構成される。
プリントエンジン１０９は、レンダリング処理部１０８で生成されたビットマップデータを読み出し、印刷処理を実施する。詳細は＜画像形成装置の印刷処理部＞で図５を用いて説明する。
【００１７】
＜コントローラユニットの構成＞
図２は、本実施形態における画像形成装置のコントロールユニット（コントローラ）の一構成例を示すブロック図である。
図２において、コントロールユニット２００は、画像入力デバイスであるスキャナ２０１や画像出力デバイスであるプリンタエンジン２０２と接続し、画像データの読み取りやプリント出力のための制御を行う。また、コントロールユニット２００は、ＬＡＮ１０、１１や公衆回線２０４と接続することで、画像情報やデバイス情報をＬＡＮ１０、１１経由で入出力するための制御を行う。
【００１８】
ＣＰＵ２０５は、画像形成装置全体を制御するための中央処理装置である。ＲＡＭ２０６は、ＣＰＵ２０５が動作するためのシステムワークメモリであり、入力された画像データを一時記憶するための画像メモリでもある。さらに、ＲＯＭ２０７はブートＲＯＭであり、システムのブートプログラムが格納されている。ＨＤＤ２０８はハードディスクドライブであり、各種処理のためのシステムソフトウェア及び入力された画像データを等格納する。
【００１９】
操作部Ｉ／Ｆ２０９は、画像データ等を表示可能な表示画面を有する操作部２１０に対するインタフェース部であり、操作部２１０に対して操作画面データを出力する。また、操作部Ｉ／Ｆ２０９は、操作部２１０から操作者が入力した情報をＣＰＵ２０５に伝える役割をする。
【００２０】
ネットワークインタフェース２１１、２２１は、例えばＮＩＣを介して、ＬＡＮ１０、１１に接続して外部装置との間で情報の入出力を行う。（本実施例では２枚のネットワークインタフェースに限った場合について説明をするが、３枚以上のインタフェースを使用した場合も本実施例に含まれる。）さらにまた、モデム２１２は公衆回線２０４に接続し、外部装置との間で情報の入出力を行う。以上のユニットがシステムバス２１３上に配置されている。
イメージバスＩ／Ｆ２１４は、システムバス２１３と画像データを高速で転送する画像バス２１５とを接続するためのインタフェースであり、データ構造を変換するバスブリッジである。
【００２１】
画像バス２１５上には、ラスタイメージプロセッサ２１６、デバイスＩ／Ｆ２１７、スキャナ画像処理部２１８、プリンタ画像処理部２１９、画像編集用画像処理部２２０、カラーマネージメントモジュール２３０が接続される。ラスタイメージプロセッサ（ＲＩＰ）２１６は、ページ記述言語（ＰＤＬ）コードや後述するベクトルデータをイメージに展開する。デバイスＩ／Ｆ部２１７は、スキャナ２０１やプリンタエンジン２０２、画像撮影装置２０３、コントロールユニット２００と接続し、画像データの同期系／非同期系の変換を行う。
【００２２】
また、スキャナ画像処理部２１８は、スキャナ２０１から入力した画像データに対し、補正、加工、編集等の各種処理を行う。プリンタ画像処理部２１９は、プリント出力する画像データに対して、プリンタエンジンに応じた補正、解像度変換等の処理を行う。
画像編集用画像処理部２２０は、画像データの回転や、画像データの圧縮伸長処理、画像の拡大縮小処理、画像合成処理等の各種画像処理を行う。画像認識処理部２２２は画像撮影装置２０３から入力した画像データに対して、２次元コードなどの認識コードか否かを判断し、認識コードに含まれる符号化情報を解析する処理を行う。
【００２３】
ＣＭＭ２３０は、画像データに対して、プロファイルやキャリブレーションデータに基づいた、色変換処理（色空間変換処理ともいう）を施す専用ハードウェアモジュールである。プロファイルとは、機器に依存した色空間で表現したカラー画像データを機器に依存しない色空間（例えばＬａｂなど）に変換するための関数のような情報である。キャリブレーションデータとは、カラー複合機３におけるスキャナ２０１やプリンタエンジン２０２の色再現特性を修正するためのデータである。
【００２４】
＜コントローラソフトウェア構成＞
図３は、本実施形態を示す画像形成装置の動作を制御するコントローラソフトウェアの構成を示すブロック図である。
図３において、プリンタインタフェース３４０は、外部との入出力のための手段である。プロトコル制御部３０１は、ネットワークプロトコルを解析・送信することによって外部との通信を行う手段である。プリンタインタフェース、プロトコル制御部は接続されるＮＩＣ毎に複数用意することも可能であるし、複数のＮＩＣからの入力を１つの制御部で処理するよう構成することも可能である。
データ入力識別部３０２は、プリンタインタフェースを介して入力された印刷ジョブが複数接続されるネットワークのどちらから入力されたかを識別する。
ジョブ管理部３０３は、プリンタＩＦ３４０から入力された印刷ジョブを管理し、印刷ジョブの分割処理や印刷ジョブに付加されている印刷設定に従いデバイス制御に関する情報を処理する。
【００２５】
ＰＤＬ解析部３０４は、ＰＤＬを解析し、より処理しやすい形式の中間コード（ＤｉｓｐｌａｙＬｉｓｔ）に変換する手段である。ＰＤＬ解析部３０４において生成された中間コードはデータ描画部３０５に渡されて処理される。データ描画部３０５は上記中間コードをビットマップデータに展開するものであり、展開されたビットマップデータはページメモリ３０６に逐次描画されて行く。ページメモリ３０６はレンダラが展開するビットマップデータを一次的に保持する揮発性のメモリである。パネル入出力制御部３２０は操作パネルからの入出力を制御するものである。
【００２６】
データ記憶部３３０はプリンタＩ／Ｆから入力される印刷ジョブやスキャナから入力されたスキャンジョブなど画像形成装置に入力される様々なデータファイルを記憶する手段であり、ＳＲＡＭやハードディスク等の不揮発性の二次記憶装置によって実現される。スキャン制御部３５０はスキャナから入力した画像データに対して、補正、加工、編集などの各種処理を行う。画像認識処理部３８０は画像撮影装置から入力した画像データに対して、２次元コードなどの認識コードか否かを判断し、認識コードに含まれる符号化情報を解析する処理を行う。
【００２７】
印刷制御部３６０は、ページメモリ３０６の内容をビデオ信号に変換処理し、プリンタエンジン部３７０へ画像転送を行なう。プリンタエンジン部３７０は受け取ったビデオ信号を記録紙に可視画像形成するための印刷機構部である。
【００２８】
＜画像形成装置制御部＞
図４は、図１に示した画像形成装置のページ処理を示すブロック図である。
図４において、出力ジョブ管理部１８１は、プリンタＩＦ部（図３−３４０）より入力される印刷ジョブを管理し、メモリ１９５に対する印刷ジョブの読み書きと、その処理順序を制御する。出力ジョブ制御部１８２は、ジョブ解析部１８３、バインダ解析部１８４、ドキュメント解析部１８５およびページ解析部１８６から構成され、印刷ジョブの設定情報（所謂ジョブチケット）と画像情報を作成する。
【００２９】
ジョブ解析部１８３は、印刷する文書名や印刷部数、出力先である排紙トレイの指定、複数バインダで構成される印刷ジョブのバインダ順など、印刷ジョブ全体に関わる設定情報の詳細を解析し、印刷ジョブ設定情報を作成する。バインダ解析部１８４は、製本方式の設定やステイプルの位置、複数ドキュメントで構成されるバインダのドキュメント順など、バインダ全体に関わる設定情報の詳細を解析し、バインダ設定情報を作成する。
【００３０】
ドキュメント解析部１８５は、複数頁で構成されるドキュメントの頁順、両面印刷の指定、表紙や台紙の付加など、ドキュメント全体に関わる設定情報の詳細を解析し、ドキュメント設定情報を作成する。ページ解析部１８６は、画像の解像度、画像の向き（ランドスケープ／ポートレイト）など、ページ全体に関する設定情報の詳細を解析し、ページ設定情報を作成する。
【００３１】
用紙情報管理部１９１は、出力ジョブ制御部１８２で解析された印刷処理に関する用紙種類に関する情報を管理する。用紙情報制御部１９２は、印刷処理に関する用紙種類に関する属性情報を示した用紙情報管理テーブルを作成する。
【００３２】
なおこの出力ジョブ管理部１８１および用紙情報管理部１９１の処理は、本実施例では画像形成装置における処理として説明したがホストコンピュータ上で処理を行っても良い。またホストコンピュータと画像形成装置間でのネットワーク上に、印刷ジョブの管理を行うプリントサーバを設け、該プリントサーバで上記ジョブ管理処理を行ってもよい。
【００３３】
画像情報の生成に当たり、スキャン画像の場合はスキャン画像用の画像処理を施し、ＰＤＬデータの場合は画像処理／ＲＩＰ部１９３を呼び出してレンダリングし、ページ画像情報１９４を生成する。ページ画像情報は、圧縮伸長部１８７によりデータ圧縮された後、シナリオおよび設定情報と関連付けられ、メモリ１９５に格納される。
【００３４】
デバイス管理部１８８は、デバイス割当部１８９とデバイス制御部１９０から構成される。メモリ１９５から関連付けられたシナリオおよび設定情報と一緒に読み出されるページ画像情報は圧縮伸長部１８７によって伸長され、シナリオ、設定情報およびページ画像情報は一組としてデバイス管理部１８８に入力される。デバイス割当部１８９は、シナリオに基づきデバイスを割り当てる際に、複数の印刷ジョブが同時に処理を進めると発生するデバイス内の調停を行う役割を果たす。デバイス制御部１９０は、プリンタや後処理部など、どのデバイスをどのタイミングで利用するかをスケジュールする。
【００３５】
＜画像形成装置の印刷処理部＞
図５は、４ドラム（４Ｄ）カラー系のプリンタ（図２）の構成例を説明する図である。
図５において、４Ｄカラー系のプリンタは、スキャナ、レーザ露光部、感光ドラム、作像部、定着部、給紙／搬送部、および、これらを制御する不図示のプリンタ制御部から構成される。
スキャナは、原稿台に置かれた原稿に照明を当てて原稿画像を光学的に読み取り、その像を電気信号に変換して画像データを作成する。レーザ露光部は、画像データに応じて変調されたレーザ光などの光線を等角速度で回転する回転多面鏡（ポリゴンミラー）に入射し、回転多面鏡の反射光を走査光として感光ドラムに照射する。
【００３６】
作像部は、感光ドラムを回転駆動し、帯電器によって帯電させ、レーザ露光部によって感光ドラム上に形成された潜像をトナーによって現像し、そのトナー像をシートに転写する。さらに、転写時に転写されずに感光ドラム上に残った微小トナーを回収する、といった一連の電子写真プロセスの現像ユニット（現像ステーション）を四連もつことで、作像を実現する。シアン（Ｃ）、マゼンタ（Ｍ）、イエロー（Ｙ）、ブラック（Ｋ）の順に並んだ四連の現像ユニットは、シアンステーションの作像開始から所定時間経過後に、マゼンタ、イエロー、ブラックの作像動作を順次実行する。このタイミング制御によって、シート上に色ずれがないフルカラートナー像が転写される。
【００３７】
定着部は、ローラやベルトの組み合わせによって構成され、ハロゲンヒータなどの熱源を内蔵し、作像部によってトナー像が転写されたシート上のトナーを、熱と圧力によって溶融し、シートに定着する。
【００３８】
給紙／搬送部は、シートカセットやペーパデッキに代表されるシート収納庫を一つ以上有し、プリンタ制御部の指示に応じてシート収納庫に収納された複数のシートから一枚を分離し、作像部、定着部へ搬送する。搬送されるシートには、前述した現像ユニットによって、各色のトナー像が転写され、最終的にフルカラートナー像がシート上に形成される。シートの両面に画像を形成する場合は、定着部を通過したシートを、再度、作像部へ搬送する両面搬送経路に導く。
【００３９】
プリンタ制御部は、画像形成装置全体を制御する画像形成装置制御部と通信し、その指示に応じて制御を実行するとともに、前述したスキャナ、レーザ露光、作像、定着、給紙／搬送の各部の状態を管理しながら、全体が調和を保って円滑に動作するよう制御を行う。
【００４０】
次に、装置の電源オフ状態から動作が開始可能な状態に至るまでの各部の動作概要を説明する。装置の電源が投入されると、プリンタ制御部は、スキャナ、レーザ露光、作像、定着部、給紙／搬送の各部に対して準備動作の開始を指示するとともに、画像形成装置全体を管理する画像形成装置制御部との通信が開始されるのを待つ。画像形成装置制御部との通信が確立すると、お互いの機器仕様のやり取りを行い、その後、各部の準備動作が終了し画像形成動作が可能になると、動作可能状態であることを画像形成装置制御部に通知する。
【００４１】
プリンタ制御部は、画像形成装置制御部に対して、各部の機器状態を通知するが、その一例を挙げる。給紙／搬送部については、シート収納庫に格納されたシートのサイズ、シートの残量（積載量）、駆動部の動作状態（動作可能か故障中か）を検知して、これらの情報を通知する。また、作像部については、トナー収容器のトナー残量を通知する。
次に、動作が開始可能な状態になり、画像形成装置制御部から動作指示が通知されて、一連のプリント動作を実行し終了するまでの各部の動作概要を説明する。
【００４２】
画像形成装置制御部は、動作開始コマンドをプリンタ制御部へ通知する。動作開始コマンドを受信したプリンタ制御部は、レーザ露光、作像、給紙搬送、定着の各部にプリント動作の開始を指示する。
【００４３】
レーザ露光部はポリゴンミラーを駆動するモータの回転を開始し、作像部は感光ドラムを回転駆動して感光ドラムを帯電する。定着部は定着ヒータをオンして、定着温度をトナーがシートに定着可能な温度に上昇させ、給紙／搬送部は駆動モータを搬送可能な状態にする。
【００４４】
各部の動作準備が整うと、プリンタ制御部は、画像形成装置制御部に準備完了を通知する。準備完了通知を受信した画像形成装置制御部は、頁単位でプリント動作を指示する。画像形成装置制御部は、例えば１０頁、２０部の印刷ジョブであれば２００頁のプリント動作を指示する。プリント動作の指示を受信したプリント制御部は、給紙／搬送部に給紙を指示する。
【００４５】
給紙／搬送部は、シートが供給可能であれば、シートを一枚供給、搬送して、シートが所定位置に到達するとプリント制御部にその旨を通知する。もし、シート収納庫にシートがない場合などは、給紙不可能の旨をプリント制御部へ通知する。
また、搬送経路上にシートが重なった状態（重送状態）で搬送されていることを検知する重送検知センサや、シートの厚みを検知する厚さ検知センサなどを給紙／搬送部が有すことがある。これらのセンサが重送状態や異常を検知すると、給紙／搬送手段は、給紙動作、搬送動作を中断し、プリント制御部へ異常を通知する。異常の通知を受けたプリント制御部は、画像形成装置制御部へ動作中断の理由、装置内に残留しているシートの位置などを通知する。
【００４６】
シートが正常に搬送され、所定位置に到達した旨の通知を受けたプリント制御部は、その通知に応じて作像部に作像の開始を指示する。このタイミング制御によって、シート上にトナー像が転写される。
一方、定着部は、定着温度を監視し、適切な温度になるよう制御するが、シートに奪われる熱量が大きい場合、定着温度が低下する場合がある。この場合、定着部は、定着温度の低下をプリント制御部へ通知する。この通知を受けたプリント制御部は、シートの搬送間隔を空け、定着温度がこれ以上低下しないようにする。それでも定着部の温度が復帰しない場合、プリント制御部は、一旦動作を中断し、定着温度が適切な温度に復帰後、動作を再開する。
プリント制御部は、すべてのシートの排出が完了すると、動作停止を各部へ指示し、各部からの動作停止通知を受け、画像形成装置制御部へ動作終了を通知する。なお、本図にはシート収納庫を２個図示したが、機器構成によってはより多くのシート収納庫を接続し使用することができる。
【００４７】
＜画像生成装置の用紙搬送パス＞
図６は、図５に示した画像形成装置の用紙搬送パスと印字面の例を示す図である。画像形成装置の用紙搬送路の効率化のため、いくつかの用紙搬送の方法がある。図６の（ａ）および（ｂ）を用いて代表的な２種類の用紙搬送パスと排紙処理について説明する。
【００４８】
図６の（ａ）は最短の用紙搬送パスを通した場合にフェースアップ排紙する画像形成装置の例であり、図６の（ｂ）は最短の用紙搬送パスを通した場合にフェースダウン排紙する画像形成装置の例である。また、６２は透過性のある用紙に印刷する場合の用紙搬送パスと印字面の例、６１は透過性のない用紙に印刷する場合の用紙搬送パスと印字面の例である。なお、６３は感光体ドラムを示している。
【００４９】
図６の（ａ）に示す画像形成装置において透過性のない用紙に印刷処理を行う場合、図５の５０１および図６の６０に示す反転パスを通して印刷面を反転させる処理を行いフェースダウン排紙する。一方、透過性のある用紙に印刷処理を行う場合は画像を鏡像反転させ、反転パスを通さずにフェースアップ排紙する。
【００５０】
図６の（ｂ）示す画像形成装置においては、透過性のない用紙に印刷処理を行う場合、図５の５０１および図６の６０に示す反転パスを通さずにフェースダウン排紙する。一方、透過性のある用紙に印刷処理を行う場合は画像を鏡像反転させ、反転パスを通しフェースアップ排紙する。
【００５１】
透過性のある用紙（透明シート）と透過性のない用紙とを同じパスで排紙処理した場合、透過性のある用紙と透過性のない用紙で構成されたドキュメントを印刷した際に、透過性のある用紙のみ画像が左右反転した状態になる。
【００５２】
透過性のある用紙と透過性のない用紙の排紙面の反転処理を分けることで、透過性のある用紙と透過性のない用紙で構成されたドキュメント成果物をオペレータが参照する際に違和感なくページをめくることが可能となる。あるいは、オペレータがドキュメント成果物から透過性のある用紙のみ抜き出してページを反転させて差し替える処理が不要となる。なお、用紙搬送パス６０および反転パス６１は、印刷ジョブに指定される排紙面指定やフィニッシング指定の種類により、透過性のない用紙も通紙する。
【００５３】
＜ネットワークを介した印刷システムの構成＞
図７は、印刷装置を含む印刷システムの構成を説明する図である。
図７において、画像形成装置７５は、ネットワーク７４を介してであるホストコンピュータ７２及び７３と接続することが可能である。以下ホストコンピュータは、これに限定されずホストコンピュータは多数接続可能に構成されている。
【００５４】
プリントサーバ７１は、入力された印刷ジョブやネットワーク７４介して接続されている画像形成装置７５を管理する。プリントサーバ７１は、接続されている画像形成装置７５と全ての印刷ジョブの状況を監視できるとともに、印刷ジョブの一時停止、設定変更、印刷再開、あるいはジョブの複製、移動、削除などの制御を行うことができる。ネットワーク７４はホストコンピュータ７２及び７３と画像形成装置７５へのデータ送受信や、命令を交換することを可能にする。
【００５５】
＜画像形成装置の操作部の構成＞
画像形成装置７５の操作部２１０（図２）の構成について、図８および図９を用いて説明する。
図８に示すように、操作部２１０は、ハードキーによるオペレータ操作を受付け可能なキー入力部８０２、ソフトキー（表示キー）によるオペレータ操作を受付可能な表示ユニットの一例としてのタッチパネル部８０１を有する。また、図９に示すように、キー入力部８０２は、電源スイッチ９０１を具備する。該電源スイッチ９０１のオペレータ操作に応答し、ＣＰＵ２０５は、スタンバイモードとスリープモードを選択的に切換るよう制御する。ただし、スタンバイモードは、通常動作状態であり、スリープモードは、ネットワーク印刷やファクシミリなどに備えて割り込み待ち状態でプログラムを停止して、消費電力を抑えている状態である。
ＣＰＵ２０５は、該電源スイッチ９０１のオペレータ操作を、システム全体の電源供給を行う主電源スイッチ（不図示）がＯＮ状態にて、受付可能に制御する。スタートキー９０３は、処理対象となるジョブのコピー動作や送信動作等、オペレータにより指示された種類のジョブ処理を印刷装置に開始させる指示をオペレータから受付可能にする為のキーである。ストップキー９０２は、受け付けたジョブの処理を印刷装置に中断させる指示をオペレータから受付可能にする為のキーである。
テンキー９０６は、各種設定の置数の設定をオペレータにより実行可能にする為のキーである。クリアキー９０７は、テンキー９０６を介してオペレータにより設定された置数等の各種パラメータを解除するためのキーである。リセットキー９０４は、オペレータにより処理対象のジョブに対して設定された各種設定を全て無効にし、また、設定値をデフォルト状態に戻す指示をオペレータから受け付ける為のキーである。ユーザモードキー９０５は、システム設定画面に移行するためのキーである。
【００５６】
以下に、透過性のある記録媒体（透明シート）への画像形成処理を透過性の無い記録媒体に代替処理する際の画像形成処理に関する制御プログラムと画像形成装置の処理について、図１０〜図１４を用いて説明する。
【００５７】
図１３は、図８に示した操作部に表示されるＵＩ画面の一例を示す図である。なお、図１３の１３０１および１３０２は本実施形態における印刷システム制御プログラムで表示されるプログラムの操作画面の一例である。
また、図１４の（ａ）は透過性のある記録媒体を用いた場合の成果物の一例、図１４の（ｂ）は透過性のある記録媒体への画像形成処理を透過性のない記録媒体に代替処理した場合の成果物の一例を表す。
【００５８】
＜印刷システムのジョブ処理＞
図１０は、本実施形態を示す印刷装置の制御方法を示すフローチャートである。本例は、以下の処理が含まれる。第１に、画像形成ジョブの投入からジョブに指定された透過性のある記録媒体を透過性のない記録媒体に置き換える処理である。第２の処理は透過性のない記録媒体に設定を変更した場合のディスプレイリストおよびラスタライズ処理である。第３の処理は、画像形成処理である。なお、各ステップは、ＣＰＵ２０５が記憶された制御プログラムを実行することで実現される。以下、ＣＰＵ２０５が実行する制御プログラムである、図３に示すモジュールを主体として制御手順を説明する。
【００５９】
図７に示した印刷システムでは、図３のプリンタＩＦ３４０を介して接続されたホストコンピュータ（図７の７２及び７３）から印刷ジョブを受信する（Ｓ１００１）。次に、画像形成装置７５は、受信したジョブに対して、図３のＰＤＬ解析部３０４と印刷制御部３６０で以下の処理を実施する。まず、ＰＤＬ解析部３０４では、処理開始にあたりジョブの処理状況を管理するためのページ情報（Ｐａｇｅ）を初期化する（Ｓ１００２）。ＰＤＬはページ単位で処理を行うため、ＰＤＬ解析部３０４は、ページ情報は１ページずつ加算する（Ｓ１０１２）。
【００６０】
次に、ＰＤＬ解析部３０４は、受信ジョブにお試し印刷が指定されているか確認し（Ｓ１００３）、お試し印刷が設定されていると判断した場合、ＰＤＬ解析部３０４は、処理対象のページに指定されている用紙の種類を判断する（Ｓ１００４）。Ｓ１００４で透明シートが指定されているとＰＤＬ解析部３０４が判断した場合、ＰＤＬ解析部３０４は、後述する代替用紙選択処理を実行する（Ｓ１００５）。
【００６１】
次に、ＰＤＬ解析部３０４は、代替用紙選択処理で透明シート以外の用紙が指定されたか判断し（Ｓ１００６）、透明シート以外の用紙が指定されているとＰＤＬ解析部３０４が判断した場合は透明シート代替印刷指定をプリントチケットに設定する（Ｓ１００７）。プリントチケットに指定した代替シート印刷指定は、後に説明するプリント処理の中で行う画像変換処理や印刷実行に関する機能を切り替える際に参照する。
次に、ＰＤＬ解析部３０４は、ジョブに含まれるＰＤＬを解析、ディスプレイリストを生成し（Ｓ１００８）、データ描画部３０５がラスタライズ処理を行い（Ｓ１００９）、ビットマップ画像を生成する。生成したビットマップ画像は印刷制御部３６０に送るため図４の１９５に示すデータ保存領域に保存し（Ｓ１０１０）、プリント処理を実行する（Ｓ１０１１）。
次に、ＰＤＬ解析部３０４は、ページ情報を更新し（Ｓ１０１２）、処理が完了したページがジョブ中の最終ページか否か判断し（Ｓ１０１３）。最終ページであれば処理を終了する。最終ページではないと判断した場合は最終ページ処理が完了するまでＳ１００３−Ｓ１０１２の処理を繰り返す。
【００６２】
＜プリント処理＞
図１１は、本実施形態を示す印刷装置の制御方法を説明するフローチャートである。本例は、画像形成装置７５において、ページに指定された記録媒体の種類に応じた画像形成処理を行うプリント処理例（図１０に示すＳ１００５）である。以下、ＣＰＵ２０５が実行する制御プログラムである、図３に示すモジュールを主体として制御手順を説明する。
印刷制御部３６０は、Ｓ１００７でプリントチケットを参照し（Ｓ１１０１）、画像形成処理に必要な各種情報を得る。例えば、用紙のサイズ、用紙の種類、フィニッシング処理の有無などである。次に、印刷制御部３６０は、Ｓ１０１０で保存したビットマップ画像を不揮発性の記憶装置から読み出す（Ｓ１１０２）。更に印刷制御部３６０は、Ｓ１１０１のプリントチケット参照で得た情報から、用紙種類に透明シートが選択されているか判断する（Ｓ１１０３）。透明シートが指定されていないと印刷制御部３６０が判断した場合、透明シート代替印刷設定があるか判断する（Ｓ１１０４）。シート代替印刷設定がＯＮであると印刷制御部３６０が判断した場合、Ｓ１１０２で保存領域から読み出したビットマップ画像を正像で印刷処理する。
次にＳ１１０２で保存領域から読み出したビットマップ画像に対し、図２に示す画像編集用画像処理部２２０において左右反転処理を行い（Ｓ１１０６）、反転処理された鏡像画像を印刷処理する（Ｓ１１０７）。
【００６３】
＜代替用紙選択処理＞
図１２は、本実施形態を示す印刷装置の制御方法を説明するフローチャートである。本例は、図１０に示すＳ１００５に示す代替要請選択処理に対応し、図１３に示す操作画面を介して印刷設定を変更する処理例に対応する。以下、ＣＰＵ２０５が実行する制御プログラムである、図３に示すモジュールを主体として制御手順を説明する。
ＰＤＬ解析部３０４は、透明シートなどの透過性のある特殊用紙が指定されていないか判断する（Ｓ１２０１）。透明シートが指定されているとＰＤＬ解析部３０４が判断した場合、Ｓ１２０２に処理を進める。そして、画像形成装置が有する図８の８０１および８０２に示す操作パネルに、処理中のページに指定されている用紙の種類とサイズ情報画面と、用紙に関する設定を変更するための設定変更画面を表示する（Ｓ１２０２）。
この場合における画面構成の一例を図１３のＵＩ画面１３０１およびＵＩ画面１３０２に示す。次に、オペレータが操作部２１０を介して設定変更を行う場合（Ｓ１２０３）、ページ処理に必要な用紙情報を操作部２１０を介して入力された設定情報に上書き処理する（Ｓ１２０４）。
【００６４】
本実施形態によれば透明シートや透明フィルムなどの透過性のある記録媒体への画像形成処理において、記録媒体の裏面に鏡像印刷を行う特殊用紙を用いたジョブをお試し印刷する際に有効である。
すなわち、記録媒体を一般的な記録媒体（本実施例では一例として普通紙とする例）に代替する際に、表面印刷のための正像画像と、裏面印刷のための鏡像画像を生成する機能を印刷制御部３６０に設ける。
これにより、代替前の透過性のある記録媒体に画像形成した際の成果物と類似の成果物を得る事が可能となり、印刷位置やフィニッシング処理の仕上がり品質を確認することが可能となる。これにより、低コストで仕上がり品質を確認可能な成果物を得ることができる。
【００６５】
透過性のある記録媒体への画像形成処理の一例を図１４の（ａ）に、透過性のない記録媒体に代替処理した場合の画像形成処理の一例を図１４の（ｂ）に示す。図１４の１４０１は透明シートの表面であり画像は生成されず、１４０２は裏面であり左右反転した鏡像画像が画像形成処理される事を模している。一方、１４０３は透過性のない用紙の表面であり、正像で画像形成処理され、１４０４は裏面であり左右反転した鏡像画像が画像形成処理される事を模している。
なお、本実施形態において制御プログラムは、図７に示す画像形成装置７５で動作することとしたが、プリントサーバもしくはホストコンピュータ上で動作するように構成することも可能である。
【００６６】
〔第２実施形態〕
第１実施形態では、透過性のある記録媒体に対して片面印刷するジョブに対して、記録媒体の代替処理と代替処理時の画像形成処理について記載した。本実施形態においては両面印刷する場合の処理について、図１５および図１６のフローチャートを用いて説明する。なお、本実施形態に示す＜プリント処理＞および＜代替用紙選択処理＞と同等の機能を有するものとする。
＜印刷システムのジョブ処理＞
【００６７】
図１５は、本実施形態を示す印刷装置の制御方法を説明するフローチャートである。以下、ＣＰＵ２０５が実行する制御プログラムである、図３に示すモジュールを主体として制御手順を説明する。以下、本実施形態では、試し印刷を行う設定がなされた場合、透明シートに代えて給紙するシートの第１のシート面に対して印刷すべきページの正像と、当該第１のシート面の裏面となる第２のシート面に対して印刷すべき次ページの鏡像とを合成する。そして、合成した画像を第１のシート面に印刷する。そして、当該シートを反転する。当該シートを反転した後、第２のシート面に対して印刷すべき前ページの鏡像と、当該第２のシートの裏面となる第２のシート面に対して印刷すべきページの正像とを合成する。さらに、当該鏡像と正像とを合成して第２のシート面に印刷して排紙させる例を説明する。
図３のプリンタＩＦ３４０を介して接続されたホストコンピュータ（図７の７２及び７３）から印刷ジョブを受信する（Ｓ１５０１）。次に、受信した印刷ジョブに対して、図３のＰＤＬ解析部３０４と印刷制御部３６０で以下の処理を実施する。
まず、ＰＤＬ解析部３０４では、処理開始にあたり印刷ジョブの処理状況を管理するためのページ情報（Ｐａｇｅ）を初期化する（Ｓ１５０２）。ＰＤＬはページ単位で処理を行うため、ＰＤＬ解析部３０４では、ページ情報は１ページずつ加算する（Ｓ１５１１）。本実施形態では両面指定されている２ページにまたがる画像を合成処理するため、両面印刷指定の場合のみ後述する画像合成処理ないで更に１ページ加算される（Ｓ１６０５）。
【００６８】
次に、ＰＤＬ解析部３０４は、受信ジョブにお試し印刷が指定されているか判断する（Ｓ１５０３）。お試し印刷が設定されているとＰＤＬ解析部３０４が判断した場合は、ＰＤＬ解析部３０４が処理対象のページに指定されている用紙の種類を判断する（Ｓ１５０４）。Ｓ１５０４で透明シートが指定されているとＰＤＬ解析部３０４が判断した場合、代替用紙選択処理を実行する（Ｓ１５０５）。
【００６９】
次に、ＰＤＬ解析部３０４は代替用紙選択処理で透明シート以外の用紙が指定されたか判断し（Ｓ１５０６）、透明シート以外の用紙が指定されているとＰＤＬ解析部３０４が判断した場合は透明シート代替印刷指定をプリントチケットに設定する（Ｓ１５０７）。
更に、ＰＤＬ解析部３０４は、両面印刷指定の有無を判断し（Ｓ１５０８）、両面印刷指定があると判断した場合は画像合成処理を実行する（Ｓ１５０９）。当該画像合成処理が完了後、印刷制御部３６０がプリント処理を実行し（Ｓ１５１０）、次に、ＰＤＬ解析部３０４がページ情報を更新し（Ｓ１５１１）、処理が完了したページがジョブ中の最終ページか否か判断し（Ｓ１５１２）。最終ページであれば処理を終了する。最終ページではない場合は最終ページ処理が完了するまでＳ１５０３−Ｓ１５１５の処理を繰り返す。
【００７０】
一方、Ｓ１５０８で両面印刷指定が無いとＰＤＬ解析部３０４が判断した場合、ジョブに含まれるＰＤＬを解析、ディスプレイリストを生成し（Ｓ１５１３）、データ描画部３０５がラスタライズ処理を行い（Ｓ１５１４）、ビットマップ画像を生成する。生成したビットマップ画像はプリンタエンジン部３７０に送るため図４の１９５に示すデータ保存領域に保存し（Ｓ１５１５）、Ｓ１５１０でプリント処理を実行する。
【００７１】
＜画像合成処理＞
図１６は、本実施形態を示す印刷装置の制御方法を説明するフローチャートである。本例は、図１５に示したＳ１５０９の画像合成処理の詳細手順に対応する。以下、ＣＰＵ２０５が実行する制御プログラムである、図３に示すモジュールを主体として制御手順を説明する。
Ｓ１５０８で、両面印刷指定があるとＰＤＬ解析部３０４が判断した場合、ＰＤＬ解析部３０４は、処理対象のページ情報を参照し、変数Ｎに保存する（Ｓ１６０１）。次に、ＰＤＬ解析部３０４Ｎページ目のＰＤＬを解析、ディスプレイリストを生成し（Ｓ１６０２）、データ描画部３０５でラスタライズ処理を行い（Ｓ１６０３）、ビットマップ画像を生成する。生成したビットマップ画像はプリンタエンジン部３７０に送るため図４に示すデータ保存領域１９５に保存し（Ｓ１６０４）、ＰＤＬ解析部３０４は、次ページのＰＤＬ解析処理するためページ情報を更新する（Ｓ１６０５）。
次に、ＰＤＬ解析部３０４は、Ｎ＋１ページ目のＰＤＬを解析、ディスプレイリストを生成し（Ｓ１６０６）、データ描画部３０５がラスタライズ処理を行い（Ｓ１６０７）、ビットマップ画像を生成する。生成したビットマップ画像はプリンタエンジン部３７０に送るため図４に示すデータ保存領域１９５に保存する（Ｓ１６０８）。
【００７２】
次に、Ｓ１６０３およびＳ１６０７で、データ描画部３０５が生成したＮページ目とＮ＋１ページ目のビットマップ画像を重ねる画像合成処理を行い（Ｓ１６０９）、合成した画像を図４の１９５に示す不揮発性のデータ保存領域に保存する（Ｓ１６１０）。
【００７３】
本実施形態によれば、透明シートや透明フィルムなどの透過性のある記録媒体への画像形成処理において、両面に画像形成処理を行うジョブに対し記録媒体を代替処理する際に有効である。
すなわち、記録媒体を一般的な記録媒体（本実施例では一例として普通紙と記載）に代替する際に、表面印刷のための正像画像と、裏面印刷のための正像画像を合成処理し、用紙の両面に画像形成処理を行う機能を設ける。これにより、代替前の透過性のある記録媒体に画像形成した際の成果物と類似の成果物を得る事が可能となり、印刷位置やフィニッシング処理の仕上がり品質を確認することが可能となる。また、低コストで仕上がり品質を確認可能な成果物を得ることができる。
【００７４】
透過性のある記録媒体への画像形成処理の一例を図１７の（ａ）に、透過性のない記録媒体に代替処理した場合の画像形成処理の一例を図１７の（ｂ）に示す。
図１７の１７０１は透明シートの表面に正像画像が画像形成される事を模しており、１７０２は裏面に左右反転した鏡像画像が画像形成処理される事を模している。一方、１７０３は透過性のない用紙で代替した場合の画像形成処理の一例であり、１７０１および１７０２で示した画像を合成処理し正像で画像形成処理する事を模している。更に、１７０４は透過性の内用紙で代替した際の裏面を表し、１７０１および１７０２で示した画像の合成画像を左右反転した鏡像画像が画像形成処理される事を模している。
【００７５】
〔第３実施形態〕
第３実施形態では、透過性の高い特殊な記録材料を用いて画像形成を行うクリア画像を用いた場合の処理について図１８のフローチャートを用いて説明する。なお、クリア画像形成処理に用いるビットマップ画像については、予め不揮発性の記憶装置に保存されているものとし、本実施形態では明示しない事とする。また、クリア画像以外の印刷システムにおけるジョブ処理については、第１実施形態に記載する＜印刷システムのジョブ処理＞および＜代替用紙選択処理＞と同等の機能を有するものとする。
＜プリント処理＞
【００７６】
図１８は、本実施形態を示す印刷装置の制御方法を説明するフローチャートである。本例は、図１５に示したＳ１５０９の画像合成処理の詳細手順に対応する。以下、ＣＰＵ２０５が実行する制御プログラムである、図３に示すモジュールを主体として制御手順を説明する。
印刷制御部３６０は、プリントチケットを参照し（Ｓ１８０１）、画像形成処理に必要な各種情報を得る。例えば、用紙のサイズ、用紙の種類、フィニッシング処理の有無などである。次に、印刷制御部３６０がジョブ処理（Ｓ１０１０）で保存したビットマップ画像を不揮発性の記憶装置から読み出す（Ｓ１８０２）。更にＳ１８０１のプリントチケット参照で得た情報から、用紙種類に透明シートが選択されているか判断する（Ｓ１８０３）。透明シートが指定されていないと印刷制御部３６０が判断した場合、透明シート代替印刷設定があるか確認する（Ｓ１８０４）。シート代替印刷設定がＯＮであると印刷制御部３６０が判断した場合、Ｓ１８０２で保存領域から読み出したビットマップ画像を正像で印刷処理する（Ｓ１８０５）。
【００７７】
更に、印刷制御部３６０はクリア画像印刷命令があるか判断し（Ｓ１８０６）、クリア画像印刷命令があると判断した場合は不揮発性の保存領域からプリントチケットに指定されたクリア画像を読み出す（Ｓ１８０７）。
次に、Ｓ１８０７で読み出したクリア画像とＳ１８０２で読み出したビットマップ画像を図２に示す画像編集用画像処理部２２０において合成処理を行う（Ｓ１８０８）。更に、画像編集用画像処理部２２０が合成した画像に対して左右反転処理を行ったうえで（Ｓ１８０９）、反転処理された鏡像画像を印刷処理する（Ｓ１８１０）。
【００７８】
一方、Ｓ１８０４で透明シート代替印刷設定がないと判断された場合、印刷制御部３６０は、クリア画像印刷命令があるか判断し（Ｓ１８１１）、クリア画像印刷命令がある場合は不揮発性の保存領域からプリントチケットに指定されたクリア画像を読み出す。
次に、Ｓ１８１２で読み出したクリア画像とＳ１８０２で読み出したビットマップ画像を図２の画像編集用画像処理部２２０において合成処理を行い（Ｓ１８１３）、合成画像を印刷処理する（Ｓ１８１４）。
【００７９】
本実施形態によれば、透明シートや透明フィルムなどの透過性のある記録媒体への画像形成処理において、透過性の高い特殊な記録材料を用いて画像形成を行うクリア画像形成処理に用いるジョブに対して記録媒体を代替処理する際に有効である。
すなわち、記録媒体を一般的な記録媒体（本実施例では一例として普通紙と記載）に代替する際に、表面印刷のためにクリア画像なしの正像画像を生成、裏面印刷のためにクリア画像と正像画像を合成する機能と合成画像を鏡像画像に変換する機能を設ける。
これにより代替前の透過性のある記録媒体に画像形成した際の成果物と類似の成果物を得る事が可能となり、印刷位置やフィニッシング処理の仕上がり品質を確認することが可能となる。また低コストで仕上がり品質を確認可能な成果物を得ることができる。
透過性のある記録媒体への画像形成処理の一例を図１９の（ａ）に、透過性のない記録媒体に代替処理した場合の画像形成処理の一例を図１９の（ｂ）に示す。
【００８０】
以上、様々な実施形態を詳述したが、本発明の趣旨と範囲は、本発明の特定の説明と図に限定されるものではなく、本願特許請求の範囲に述べられた内容の様々な修正および変更に及ぶことは当業者にとって理解されるであろう。
【００８１】
更に、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【００８２】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００８３】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００８４】
３０４  ＰＤＬ解析部
３６０  印刷制御部
【図１】
2015212027.tif 000003
【図２】
2015212027.tif 000004
【図３】
2015212027.tif 000005
【図４】
2015212027.tif 000006
【図５】
2015212027.tif 000007
【図６】
2015212027.tif 000008
【図７】
2015212027.tif 000009
【図８】
2015212027.tif 000010
【図９】
2015212027.tif 000011
【図１０】
2015212027.tif 000012
【図１１】
2015212027.tif 000013
【図１２】
2015212027.tif 000014
【図１３】
2015212027.tif 000015
【図１４】
2015212027.tif 000016
【図１５】
2015212027.tif 000017
【図１６】
2015212027.tif 000018
【図１７】
2015212027.tif 000019
【図１８】
2015212027.tif 000020
【図１９】
2015212027.tif 000021